(57)【要約】      （修正有）【課題】特にコストを上げること無く、人目を十分に引くことを可能とした展示ボードを提供する。【解決手段】発泡スチロール製のボード本体と、ボード本体の表裏面に形成した印刷層と、を具備した、各種ＰＯＰ広告、ポスター等を展示するために用いられる展示ボード１において、前記印刷層の少なくとも一方を、他方の面の印刷層と異なる色彩によって、水玉模様、ストライプ等のデザイン印刷層５としたことを特徴としており、これにより、使用していない展示ボードの裏面も強調することができるため、従来の展示ボードにおいては使用していないときには全く人目を引くことが無かった裏面によっても、展示ボードの全体を見る者に強力にアピールすることができ、またコストを上げることなく、人目を十分に引くことが可能な展示ボード１とすることができる。【選択図】図２
0003152988.tif 000002
【実用新案登録請求の範囲】
【請求項１】
ボード本体（２）と、
該ボード本体（２）の表裏面に形成した印刷層（３）と、を具備した、各種ＰＯＰ広告、ポスター等を展示するために用いられる展示ボードにおいて、
前記印刷層（３）の少なくとも一方を、他方の面の印刷層と異なる色彩によるデザイン印刷層としたことを特徴とする展示ボード。
【請求項２】
前記デザイン印刷層が、水玉のデザイン印刷であることを特徴とする請求項１に記載の展示ボード。
【請求項３】
前記デザイン印刷層が、ストライプのデザイン印刷としたことを特徴とする請求項１に記載の展示ボード。
【請求項４】
前記ボード本体（２）が発泡スチロール製であることを特徴とする請求項１乃至請求項３のいずれかに記載の展示ボード。
【考案の詳細な説明】
【技術分野】
【０００１】
本考案は発泡スチロール製のボードの表裏面に印刷層を形成してなる展示ボードに係り、より詳しくは、片方の面をベタ塗りの印刷層にし、他方の面は、ベタ塗りとした印刷層の色彩と異なる色彩によってデザイン印刷層として、これにより、特にコストを上げること無く、人目を十分に引くことを可能とした展示ボードを提供することを課題としている。
【背景技術】
【０００２】
従来から、ＰＯＰ広告の方法として、又はポスター、カタログの展示用に、カラー印刷を施した展示ボードを用いることが行われている。
【０００３】
即ち、この展示ボードは、一般的に、発泡スチロール等により形成される板状のボード本体と、このボード本体の表裏面に形成した印刷層とで構成されており、これを用いる場合には、ＰＯＰ広告や自社商品のカタログ、ポスター、写真等をこの展示ボードに貼りつけ、その後、この展示ボードを、例えば展示会場における自社ブースの目立つ箇所等に設置して、これにより自社商品、あるいは自社の広告宣伝を行なうことを可能にしている。
【０００４】
また、この展示ボードはその他、各種の催し物等においても、各種の広告を目立つ箇所に展示するために、たとえば、各種の催し物会場に出展している出店が価格を表示したり、出展商品の写真を展示したりするためにも用いられており、その用途は多岐にわたっている。
【０００５】
そして、展示ボードでは印刷層をカラーとしており、貼付したＰＯＰ広告等の隙間部分がカラーとなるため、例えばホワイトボード等を用いた場合と比較すると、見る者にある程度の印象を与えることができる。
【考案の概要】
【考案が解決しようとする課題】
【０００６】
ところで、特に出展者が多数になる展示会場等では、自社製品を有効にアピールする必要があるが、前述した従来の展示ボードでは、単に表裏面をカラー印刷による印刷層としているとともに、このとき、この印刷層を、表裏面ともに同一の色彩によるベタ塗り印刷としているため、貼付したＰＯＰ広告等の隙間部分がカラーとはなるが、見る者に強力にアピールすることは困難である。
【０００７】
また、従来の展示ボードでは、表裏面とも同一色としているために、例えば片面にのみＰＯＰ広告等を貼付して他方の面を使用していないときには、使用していない面は、何らの人目を引くことが無いという問題点が指摘できる。
【０００８】
この点、展示ボードに貼着するＰＯＰ広告、ポスター、カタログ等に趣向を凝らすことも考えられるが、かかる場合には、ＰＯＰ広告、ポスター、カタログ等を作製するたびごとに手間がかかってしまいコストが上がってしまうとともに、カタログ等を作製する作業も煩雑である。
【０００９】
また、展示会場における来場者に自社ブース等を強力にアピールするために、あるいは繁華街等において自社を強力にアピールするために、ネオンサインによる電飾広告等を用いる方法も考えられるが、電飾看板の場合には、装備が大掛かりになるとともにコストも上がってしまい、更に、ネオンサインでは蛍光灯等の寿命の関係で定期的に保守、交換を必要とするために手間や費用等がかかるという問題点がある。
【００１０】
そこで、本考案は、特にコストを上げること無く、人目を十分に引くことを可能とした展示ボードを提供することを課題としている。
【課題を解決するための手段】
【００１１】
本考案の展示ボードは、
ボード本体と、
該ボード本体の表裏面に形成した印刷層と、を具備した、各種ＰＯＰ広告、ポスター等を展示するために用いられる展示ボードにおいて、
前記印刷層の少なくとも一方を、他方の面と異なる色彩によるデザイン印刷層としたことを特徴としている。
【考案の効果】
【００１２】
本考案の展示ボードでは、ボード本体と、このボード本体の表裏面に形成した印刷層とを具備した展示ボードにおいて、少なくとも、印刷層の一方を、他方の面と異なる色彩によるデザイン印刷層としている。
【００１３】
そのため、表裏面ともに同一の色彩によるベタ塗り印刷とした従来の展示ボードと異なり、使用していない展示ボードの裏面も強調することができ、従来の展示ボードにおいては使用していないときには全く人目を引くことが無かった裏面によっても、展示ボードの全体を見る者に強力にアピールすることができる。
【００１４】
従って、本考案の展示ボードでは、特に貼着するＰＯＰ広告やポスター、カタログ等に趣向を凝らすことなく、またコストを上げることなく、人目を十分に引くことが可能な展示ボードとすることができる。
【図面の簡単な説明】
【００１５】
【図１】本考案の展示ボードの実施例の構造を示す断面図である。
【図２】本考案の展示ボードの実施例の裏面側を示す図である。
【図３】本考案の展示ボードの他の形態の裏面側を示す図である。
【考案を実施するための形態】
【００１６】
本考案の展示ボードでは、発泡スチロール製のボード本体を備えており、このボード本体の表面及び裏面側には、シルクスクリーン印刷等によって形成した印刷層が備えられている。
【００１７】
そして、前記印刷層は、少なくとも一方を、他方の面と異なる色彩によって形成しており、更に、その印刷をデザイン印刷としている。
【００１８】
そして、デザインとしては、例えば水玉模様、ストライプ模様にするとよく、これにより、この面によって人目を十分に引くことが可能となる。
【実施例１】
【００１９】
本考案の展示ボードの第１実施例について図面を参照して説明すると、図１は、本実施例の展示ボードの構造を示す断面図であり、図において１が本実施例の展示ボードである。
【００２０】
そして、本実施例の展示ボード１は、全体として四角形状の板状としたボード本体を備えている。即ち、図において２がボード本体であり、本実施例においてこのボード本体２は、一定の厚みを有した発泡スチロール製としている。但し、必ずしも発泡スチロール製にする必要はなく、その他、金属製、木製等の素材によりボード本体を形成してもよい。
【００２１】
次に、図において３は印刷層である。即ち、本実施例においては、前記ボード本体２の表面及び裏面の全域に、シルクスクリーン印刷によってインクを乗せ、これにより、前記ボード本体２の表面及び裏面の全域にそれぞれ、印刷層３を形成している。
【００２２】
なお、図においては、上側をボード本体２の表面側、下側をボード本体２の裏面側としており、表面側に形成した印刷層を符号４で示し、裏面側に形成した印刷層を符号５で示している。そして、ボード本体２の表面側に形成した印刷層４では、ボード本体２の表面側全域に同一色のインクによるベタ塗り印刷を施しており、これによってボード本体２の表面側印刷層４を形成している。
【００２３】
次に、図２は、本実施例の展示ボード２の裏面側を示した図であり、本実施例において、前記ボード本体２の裏面側に形成した印刷層５では、デザイン６を印刷しており、このデザインとしては水玉模様としている。即ち、ボード本体２の裏面側に印刷層５を形成する際に、水玉模様が表示されるようにしてシルクスクリーン印刷を施し、これにより、ボード本体２の裏面側にはデザイン印刷を施している。
【００２４】
従って、本実施例の展示ボード１では、裏面側に何らのＰＯＰ広告、ポスター、カタログ等を貼着しない場合でも、水玉模様によって展示ボード１の裏面側を強調することができる。そのため、ボード本体の表裏面ともに同一の色彩によるベタ塗り印刷とした従来の展示ボードと異なり、従来の展示ボードにおいては、使用していないときには見る者にアピールすることができなかった裏面によっても、展示ボードの全体を見る者に強力にアピールすることができ、コストを上げることなく、人目を十分に引くことが可能な展示ボードとすることができる。
【００２５】
次に、このように構成される本実施例の展示ボード１の使用方法について説明すると、本実施例の展示ボード１を使用する場合には、ベタ塗り印刷とした表面側の印刷層４に、ＰＯＰ広告、ポスター、商品カタログ、写真等を貼着するのみでよく、場合によっては更に、デザイン印刷を施した裏面側の印刷層５にもＰＯ広告、カタログ等を貼着し、この状態の展示ボード１を、人目を引く場所に載置しておく。
【００２６】
そうすると、まず、展示ボード１の表面に貼着したＰＯＰ広告、商品カタログ、写真等によって商品の広告等を行うことができる。
【００２７】
更に、展示ボード１の裏面側に何も貼着しなかった場合であっても、本実施例の展示ボード１では、ボード本体２の裏面側には水玉模様のデザイン印刷を施しているために、この水玉模様によって展示ボード１の裏面を強調して人目を引くことができるため、この展示ボード自体を強力にアピールすることができ、これにより、コストを上げることなく、人目を十分に引くことが可能な展示ボードにすることが可能である。
【００２８】
このように、本実施例の展示ボード１では、ボード本体と、このボード本体の表裏面に形成した印刷層とを具備した展示ボードにおいて、ボード本体の裏面側には、表面側の印刷層の色彩と異なる色彩によってデザイン印刷を施しているために、ボード本体の表裏面ともに同一の色彩によるベタ塗り印刷とした従来の展示ボードと異なり、使用していない場合の裏面を強調することができる。
【００２９】
従って、本実施例の展示ボード１では、裏面を使用していないときでも、展示ボードの全体を見る者に強力にアピールすることができるため、特に貼着するＰＯＰ広告やカタログ等に趣向を凝らすことなく、またコストを上げることなく、人目を十分に引くことが可能な展示ボードとすることができる。
【００３０】
なお、本実施例の展示ボード１では、ボード本体の表面に形成した印刷層のインキとは異なる色彩によって、ボード本体の裏面にデザイン印刷を施したことを特徴としているために、デザインは特に限定されず、必ずしも水玉模様には限定されない。従って、例えば図３に示すように、印刷するデザイン６として、ストライプのデザインとしてもよく、あるいは、その他のデザインでもよい。
【００３１】
また、ボード本体２の裏面側にデザイン印刷を施すに際しては、ボード本体の裏面に直接、デザイン印刷を施す方法には限定されず、その他、ボード本体の裏面に一旦ベタ塗り印刷を施し、その後に、このベタ塗り印刷を施した層の上に、デザイン印刷を施してもよい。
【産業上の利用可能性】
【００３２】
本考案の展示ボードは、ボード本体の表裏面に印刷層を備え、ＰＯＰ広告やポスター、カタログ等を貼着するために用いる展示ボードにおいて、裏面の印刷層を、表面の印刷層の色彩とは異なる色によるデザイン印刷とし、これにより、裏面を使用しないときでも展示ボードの裏面を強調することを可能にし、これによって展示ボード全体を見る者に強力にアピールすることを可能にしているため、ＰＯＰ広告の貼着用等、人目を引く必要がある展示ボードの全般に適用可能である。
【符号の説明】
【００３３】
１    展示ボード
２    ボード本体
３    印刷層
４    表面側印刷層
５    裏面側印刷層（デザイン印刷層）
６    デザイン
【図１】
0003152988.tif 000003
【図２】
0003152988.tif 000004
【図３】
0003152988.tif 000005